(57)【要約】【課題】大当たりの前兆演出を行なう演出部材をガタツクことなく常に一定の姿勢でスムーズに停止保持させることができるようにしたパチンコ機を提供する。【解決手段】一対のアーム２８の同期した逆方向の揺動によって液晶表示装置１５の前面上側に配置される待機位置から下降動される演出部材３０の背面中央部に２本のコイルばね３４の各一端部を連結し、一方のコイルばね３４の他端部を一方のアーム２８の内端部に連結する。また、他方のコイルばね３４の他端部を他方のアーム２８の内端部に連結し、その２本のコイルばね３４により演出部材３０を左右両方向に均等に付勢して、演出部材３０のガタツキを抑制する。【選択図】図４
2010167115.tif 000002
【特許請求の範囲】
【請求項１】
図柄表示装置を中央部に有する遊技盤と、前記図柄表示装置の前側上部に配置されて外端部を中心に揺動可能な左右一対の対称配置のアームと、その一対のアームの内端部に左右両端部がスライド自在に連結され、一対のアームの同期した逆方向の揺動によって前記図柄表示装置の前面上側に配置される待機位置から下降動される演出部材と、前記一対のアームを同期させて揺動させる揺動駆動装置と、前記演出部材と一対のアーム間のそれぞれに掛け渡されて演出部材を左右両方向に均等に付勢する弾性部材とから成るパチンコ機。
【請求項２】
前記弾性部材が単一のコイルばねから成り、そのコイルばねの長さ方向の中央を前記演出部材の両端間中央に連結し、コイルばねの両端を一対のアームのそれぞれ内端部に連結した請求項１に記載のパチンコ機。
【発明の詳細な説明】
【技術分野】
【０００１】
この発明は、リーチや大当たりの前兆を演出する役物機構を具えたパチンコ機に関する。
【背景技術】
【０００２】
遊技板の前面に取付けられたガイドレールの内側が遊技領域とされ、その遊技領域内に発射された遊技球が始動入賞装置に入賞した際、遊技板の中央に設けられた図柄表示装置の表示画面に特別図柄の変動表示を所定時間行わせ、複数の特別図柄が特定の停止表示態様で停止表示された時、大当たり遊技状態として、特別可変入賞装置の入口を塞いでいた扉を予め定められた作動条件に従って開閉させるようにしたパチンコ機においては、上記図柄表示装置の表示画面に特別図柄の一部が停止表示されてリーチになったとき、あるいは、大当たりになる確率が非常に高いスーパリーチになったとき等に演出部材を図柄表示装置に向けて移動させて、演出効果を高めるようにしたものが知られている。
【０００３】
リーチや大当たりの前兆演出を行なう役物機構を具えた上記パチンコ機においては、演出部材を上下方向または左右方向にスライドさせるようにしたものや、振り子状に揺動させるようにしたものが存在する。その演出部材が図柄表示装置の周囲に配置される待機位置まで戻されて停止する際、あるいは、演出位置まで移動して停止する際、スムーズに停止せずにガタツキが生じると、役物機構に不具合が発生したかのような不安感を遊技者に与えることになり、演出効果が著しく減殺されることになる。
【０００４】
そのような不都合の発生を防止するため、特許文献１に記載されたパチンコ機においては、揺動可能に支持された可動アームの揺動側端部に演出部材としての装飾体を装着し、その可動アームの揺動中心側の端部に永久磁石を設け、上記装飾体が図柄表示装置の周囲に配置される待機位置まで戻された際、上記永久磁石とこれに対向配置された固定の吸着板との相互間に作用する磁力により可動アームを停止保持するようにして、装飾体の停止時のガタツキを防止するようにしている。
【先行技術文献】
【特許文献】
【０００５】
【特許文献１】特開２００３−１９０４０１号公報
【発明の概要】
【発明が解決しようとする課題】
【０００６】
ところで、上記特許文献１に記載のように、永久磁石を利用して装飾体の停止時のガタツキを抑制するパチンコ機においては、吸着板の取付位置の関係から図柄表示装置の近接部位に上記永久磁石を配置する必要がある。このとき、図柄表示装置が液晶表示装置であると、永久磁石の磁力が液晶表示装置の画質に悪影響を与えることになるため、その対策を施さなければならないという不都合があった。
【０００７】
この発明の課題は、大当たりの前兆の演出を行なう演出部材をガタツクことなく常に一定の姿勢でスムーズに停止保持させることができるようにすること、および、図柄表示装置が液晶表示装置の場合であっても、その液晶表示装置の画質に悪影響を与えることがないようにすることである。
【課題を解決するための手段】
【０００８】
上記の課題を解決するために、この発明においては、図柄表示装置を中央部に有する遊技盤と、前記図柄表示装置の前側上部に配置されて外端部を中心に揺動可能な左右一対の対称配置のアームと、その一対のアームの内端部に左右両端部がスライド自在に連結され、一対のアームの同期した逆方向の揺動によって前記図柄表示装置の前面上側に配置される待機位置から下降動される演出部材と、前記一対のアームを同期させて揺動させる揺動駆動装置と、前記演出部材と一対のアーム間のそれぞれに掛け渡されて演出部材を左右両方向に均等に付勢する弾性部材とから成る構成を採用したのである。
【０００９】
上記の構成からなるパチンコ機においては、図柄表示装置の表示画面に特別図柄の一部が停止表示されてリーチになり、あるいは、大当たりになる確率が非常に高いスーパリーチになったときなどの特定の遊技状態が発生すると、揺動駆動装置が作動し、一対のアームのそれぞれを同期して下向きに揺動させる。その一対のアームの下向きの揺動により、演出部材が図柄表示装置の上側に配置される待機位置から下降して下限位置（演出位置）で停止する。
【００１０】
また、図柄表示装置の表示画面に図柄が表示されると、揺動駆動装置が作動し、一対のアームのそれぞれを同期して上向きに揺動させる。その一対のアームの揺動により、演出部材が演出位置から上昇して待機位置に戻される。
【００１１】
ここで、演出部材は、弾性部材によって左右両方向に均等に付勢されているため、ガタツクことなく姿勢を一定に保持する状態で下降動して演出位置でスムーズに停止し、あるいは、上昇動して待機位置で停止する。
【００１２】
演出部材の姿勢を一定に保つ弾性部材は、２本のコイルばねから成るものであってもよく、あるいは、１本のコイルばねから成るものであってもよい。
【００１３】
弾性部材が２本のコイルばねから成る場合は、各コイルばねを伸張させた状態で一端部を上記演出部材の左右両端間の中央に連結し、他端部を一対のアームのそれぞれ内端部に連結する。一方、弾性部材が１本のコイルばねから成る場合は、そのコイルばねの長さ方向の中央を上記演出部材の両端間中央に連結し、そのコイルばねを伸張させて各端部を一対のアームのそれぞれ内端部に連結し、演出部材に対して左右両方向への均等な引張り力を付与する。
【００１４】
１本のコイルばねを弾性部材として採用した場合には、２本のコイルばねを弾性部材として採用する場合に比較して、部品点数の低減と組付け工程の簡素化を図ることができる。
【００１５】
この発明に係るパチンコ機において、揺動駆動装置として、アクチュエータを駆動源として設定角度回動される回転板と、その回転板の外周部に一端部が連結され、他端部がアームの揺動中心側の端部に連結されたクランクアームとから成るものを採用することにより、アームの揺動中心からクランクアームの連結位置までの長さとアームの揺動中心から演出部材の連結位置までの長さの比（レバー比）を大きくとることができるため、外径の小さな回転板によって演出部材の昇降ストローク量を大きくとることができ、演出効果をより高めることができる。
【００１６】
この場合、アクチュエータとしてステッピングモータを採用し、そのステッピングモータの回転を上記回転板に伝達するギヤ減速機構を設けると、容量の小さな小型のステッピングモータによって重量のある演出部材を昇降動させることができる。
【発明の効果】
【００１７】
上記のように、この発明においては左右一対の対称配置のアームの揺動によって昇降動される演出部材を一対のアームとの間に掛け渡された弾性部材により左右両方向に均等に付勢するようにしたので、演出部材をガタツクことなく常に一定の姿勢に保持することができ、スムーズに停止保持させることができる。
【００１８】
また、弾性部材によって演出部材の姿勢を一定に保持する構成であるため、図柄表示装置が液晶表示装置の場合であっても、その液晶表示装置の画質に悪影響を与えることがなく、影響対策の検討を不要とすることができる。
【図面の簡単な説明】
【００１９】
【図１】この発明に係るパチンコ機の遊技盤の正面図
【図２】図１の役物機構部を拡大して示す正面図
【図３】図２の平面図
【図４】役物機構部の前部装飾体および後部装飾体を取り除いた状態の正面図
【図５】演出部材の演出状態を示す正面図
【図６】図５の背面図
【図７】演出部材の姿勢を一定に保持するコイルばねの他の例を示す背面図
【発明を実施するための形態】
【００２０】
以下、この発明の実施の形態を図面に基づいて説明する。図１はこの発明に係るパチンコ機の遊技盤１０を示す。遊技盤１０は、遊技板１１を有し、その遊技板１１の表面にはガイドレール１２が取付けられ、そのガイドレール１２の内側が遊技領域１３とされている。
【００２１】
図２および図３に示すように、遊技領域１３の中央部には前後に貫通する抜き孔１４が形成され、その抜き孔１４内に図柄表示装置１５が設けられている。また、遊技領域１３内には、図１に示すように、遊技球の落下方向を分散、調整するための多数の釘１６や風車１７、始動入賞装置１８、特別可変入賞装置１９等の遊技部品が設けられている。
【００２２】
図柄表示装置１５として、ここでは、液晶表示装置が採用されている。この液晶表示装置１５は、遊技領域１３に発射された遊技球が始動入賞装置１８に入賞
した際に特別図柄の変動表示を行う。そして、複数の特別図柄が特定の停止表示態様で停止表示されると、大当たり遊技状態となり、特別可変入賞装置１９の入口を塞いでいた扉１９ａが予め定められた作動条件に従って開閉するようになっている。
【００２３】
液晶表示装置１５の上側部にはスーパリーチ等の特定の遊技状態が発生した際に大当たりの前兆であることを演出する役物機構２０が設けられている。
【００２４】
図２乃至図５に示すように、役物機構２０は、液晶表示装置１５の上側に形成された空間内に嵌合されて遊技板１１にねじ止めされる左右方向に細長いベースプレート２１を有し、そのベースプレート２１の前面側の左右両端部に一対のギヤケース２３が設けられている。
【００２５】
また、ベースプレート２１の前面側には、板状の後部装飾体２４と、その後部装飾体２４との間に間隔をあけて前部装飾体２５とが設けられている。
【００２６】
後部装飾体２４は、ベースプレート２１の左右両端間の長さより短く、ベースプレート２１の中央部に配置されて、ベースプレート２１にねじ止めされている。一方、前部装飾体２５は左右両端間の長さはベースプレート２１と略同一の長さとされ、ねじ止めによりギヤケース２３に取付けられている。
【００２７】
前部装飾体２５はアーチ状をなし、その下辺のくり貫き部２６から後部装飾体２４が視認し得るようになっている。
【００２８】
ベースプレート２１の左右両端部上に設けられた上記ギヤケース２３のそれぞれ内部には、支点軸２７、２７が設けられ、各支点軸２７、２７により、左右一対の対称配置のアーム２８、２８のそれぞれ外端部が回転自在に支持され、上記支点軸２７を中心にしてアーム２８のそれぞれが揺動可能とされている。
【００２９】
一対のアーム２８、２８の内端部それぞれにはピン２９が突設されている。各ピン２９は演出部材３０の背面両端部に形成された左右方向に長い一対の長孔３１内にスライド自在に嵌合され、その一対のピン２９、２９によって演出部材３０の左右両端部がスライド自在に支持されている。
【００３０】
なお、演出部材３０の背面両端部にピンを突設し、そのピンをアーム２８のそれぞれに形成された長孔にスライド自在に嵌合して、一対のアーム２８、２８の内端部で演出部材３０の左右両端部をスライド自在に支持するようにしてもよい。
【００３１】
演出部材３０は、前部装飾体２５のくり貫き部２６に収容可能な外観形状とされて、そのくり貫き部２６に収容する位置が待機位置とされている。待機位置は液晶表示装置１５の前面上側であり、その待機位置において、演出部材３０と前部装飾体２５とで単一の装飾品を形成するようになっている。
【００３２】
演出部材３０が待機位置に配置されると、各ピン２９は長孔３１の内端部に当接するようになっており、その長孔３１の内端部に対する当接によってアーム２８は上向きに揺動するのが防止されるようになっている。
【００３３】
また、演出部材３０は、一対のアーム２８、２８の同期した逆方向の揺動によって待機位置から下降動され、その下降停止位置（演出位置）は液晶表示装置１５の表示画面の手前とされている。
【００３４】
一対のアーム２８、２８とギヤケース２３との間にはスプリング３２が掛け渡され、そのスプリング３２によってアーム２８は上方に向けて付勢されている。
【００３５】
一対のアーム２８、２８は、それぞれのアーム２８に対応して設けられた揺動駆動装置４０によって揺動される。
【００３６】
揺動駆動装置４０は、アーム２８の外端部の上方においてギヤケース２３内に設けられた回転可能な回転板４１と、その回転板４１の外周部に一端部が連結され、他端部がアーム２８の外端部に連結されたクランクアーム４２と、ギヤケース２３に支持されたアクチュエータとしてのステッピングモータ４３と、そのステッピングモータ４３の回転を上記回転板４１に減速して伝達するギヤ減速機構４４とからなり、上記ギヤ減速機構４４はギヤケース２３内に組込まれている。
【００３７】
ここで、回転板４１とクランクアーム４２の連結位置にはアーム２８および演出部材３０の重量が作用し、その重量によって回転板４１にはアーム引上げ回転方向又はアーム引下げ回転方向の回転モーメントが負荷されることになり、回転板４１の回転中心を通る鉛直線がアーム引上げ回転方向の負荷領域とアーム引下げ回転方向の負荷領域の境界線となっている。
【００３８】
すなわち、図４の右側の回転板４１においては、回転板４１の回転中心を通る鉛直線Ｌの右側の領域がアーム引上げ回転方向の負荷領域とされ、左側の領域がアーム引下げ回転方向の負荷領域とされる。一方、同図の左側の回転板４１においては、回転板４１の回転中心を通る鉛直線Ｌの左側の領域がアーム引上げ回転方向の負荷領域とされ、右側の領域がアーム引下げ方向の負荷領域とされる。
【００３９】
そして、演出部材３０が前部装飾体２５のくり貫き部２６に収容される待機位置において、回転板４１とクランクアーム４２の連結位置がアーム引下げ方向の負荷領域に配置されると、アーム２８および演出部材３０の重量が重い場合に、回転板４１がアーム引下げ方向に回転して、演出部材３０を待機位置で停止保持することができなくなる。
【００４０】
そのような不都合を解消するため、演出部材３０の待機状態において、回転板４１とクランクアーム４２の連結位置がアーム引上げ回転方向の負荷領域に配置されるように設計してある。このとき、クランクアーム４２がストレート形状であると、そのクランクアーム４２は回転板４１の回転軸と干渉する。その干渉を避けるため、クランクアーム４２は弓状としている。
【００４１】
図６に示すように、演出部材３０の背面中央における上部にはばね連結片３３が設けられ、その連結片３３に２本の弾性部材としてのコイルばね３４、３４の各一端部が連結され、一方のコイルばね３４の他端部が一方のアーム２８の内端部に連結され、他方のコイルばね３４の他端部が他方のアーム２８の内端部に連結されている。
【００４２】
２本のコイルばね３４、３４のうち、一方のコイルばね３４は演出部材３０を左方向に付勢し、一方、他方のコイルばね３４は演出部材３０を右方向に付勢し、その付勢力は略等しく、演出部材３０の姿勢を一定に保持するようになっている。
【００４３】
実施の形態で示すパチンコ機は上記の構造からなり、図４は演出部材３０が前部装飾体２５のくり貫き部２６に収容する待機位置に配置されている状態を示し、回転板４１とクランクアーム４２の連結位置はアーム引上げ回転方向の負荷領域で停止している。
【００４４】
演出部材３０の上記のような待機状態において、液晶表示装置１５の表示画面に特別図柄の一部が停止表示されてリーチになり、あるいは、大当たりになる確率が非常に高いスーパリーチになったときなどの特定の遊技状態が発生すると、一対のアーム２８のそれぞれに対応して設けられた揺動駆動装置４０のステッピングモータ４３が同期して回転する。
【００４５】
ステッピングモータ４３の回転はギヤ減速機構４４を介して回転板４１のそれぞれに伝達されるため、一対の回転板４１は図４の矢印で示す方向に回転する。この回転板４１の回転により一対のアーム２８は逆方向に同期して下向きに揺動し、演出部材３０が待機位置から下降する。その演出部材３０が液晶表示装置１５の前面側に位置する下限位置（演出位置）まで下降すると、ステッピングモータ４３が停止し、演出部材３０は演出位置に保持される。図５および図６は、演出部材３０が演出位置まで下降した状態を示す。
【００４６】
また、液晶表示装置１５の表示画面に数種の図柄が表示されると、ステッピングモータ４３が上記と逆の方向に回転し、その回転はギヤ減速機構４４を介して回転板４１に伝達されるため、回転板４１が図５の矢印で示す方向に回転する。また、回転板４１の回転により一対のアーム２８、２８は逆方向に同期して上向きに揺動し、その一対のアーム２８、２８の揺動により、演出部材３０が演出位置から上昇して図４に示す待機位置に戻される。
【００４７】
ここで、演出部材３０は、２本のコイルばね３４によって左右両方向に均等に付勢されているため、ガタツクことなく姿勢を一定に保持する状態で下降動して演出位置でスムーズに停止し、あるいは、上昇動して待機位置で停止することになる。
【００４８】
なお、上記説明では、液晶表示装置１５の表示画面に特別図柄の一部が停止表示されてリーチになり、あるいは、大当たりになる確率が非常に高いスーパリーチになったときなどの特定の遊技状態が発生した際に演出部材３０を下降させるようにしたが、特定の遊技状態が発生している間、演出部材３０を繰り返し昇降動させるようにしてもよい。
【００４９】
図６に示す例においては、２本のコイルばね３４を用いて演出部材３０の姿勢を一定に保つようにしたが、１本のコイルばねによって演出部材３０の姿勢を一定に保つようにしてもよい。この場合、図７に示すように、コイルばね３４の長さ方向の中央を演出部材３０の背面に設けられたばね連結片３３に連結し、そのコイルばね３４を伸張させて各端部を一対のアーム２８、２８のそれぞれ内端部に連結する。
【００５０】
実施の形態では、揺動駆動装置４０として、ステッピングモータ４３の回転をギヤ減速機構４４を介して回転板４１に伝達するようにしたものを示したが、ギヤ減速機構４４に代えて、ラック・ピニオン機構を採用するようにしてもよい。
【００５１】
また、アクチュエータとしてステッピングモータ４３を示したが、アクチュエータはステッピングモータ４３に限定されるものではない。例えば、ロータリソレノイドであってもよい。ロータリソレノイドの採用においては、そのロータリソレノイドで回転板４１を直接回転させるようにしてもよく、あるいは、ロータリソレノイドの回転をギヤ機構を介して回転板４１に伝達するようにしてもよい。
【符号の説明】
【００５２】
１０・・・遊技盤、１５・・・液晶表示装置（図柄表示装置）、２８・・・アーム、３０・・・演出部材、３４・・・コイルばね（弾性部材）、４０・・・揺動駆動装置、４１・・・回転板、４２・・・クランクアーム
【図１】
2010167115.tif 000003
【図２】
2010167115.tif 000004
【図３】
2010167115.tif 000005
【図４】
2010167115.tif 000006
【図５】
2010167115.tif 000007
【図６】
2010167115.tif 000008
【図７】
2010167115.tif 000009